(57)【要約】【課題】多種類の植木鉢に適用可能であり、植木鉢内の土壌を常に適切な湿度に維持して、頻繁に水遣りをする手間を省くことができ、病気を媒介する蚊の発生を防ぎ、貯留した水が蒸発しにくい、植木鉢の給水ベースを提供すること。【解決手段】本体１と多孔隙棒体２とを含み、本体１は、液体を入れるための非開放式の収容空間１１と、植木鉢３を置くための設置台１２とを備え、多孔隙棒体２が収容空間１１に挿入され、且つ設置台１２の上方へ突出され、多孔隙棒体２の毛細管作用により収容空間１１内に貯蔵された水分を植木鉢３中の土壌に供給する。【選択図】図１
0003177958.tif 000002
【実用新案登録請求の範囲】
【請求項１】
本体と多孔隙棒体とを含み、
前記本体は、液体を入れるための非開放式の収容空間と、上に植木鉢を置くための設置台とを備え、
前記多孔隙棒体が前記収容空間に挿入され、且つ前記設置台の上方へ突出されたことを特徴とする、植木鉢の給水ベース。
【請求項２】
前記多孔隙棒体が、前記本体に一体成型されていることを特徴とする、請求項１に記載の植木鉢の給水ベース。
【請求項３】
前記設置台に穿通孔が設けられ、且つ前記穿通孔が前記多孔隙棒体の径よりやや大きく、前記穿通孔に前記多孔隙棒体が挿通されることを特徴とする、請求項１に記載の植木鉢の給水ベース。
【請求項４】
前記多孔隙棒体が中空の棒体であることを特徴とする、請求項１に記載の植木鉢の給水ベース。
【請求項５】
前記多孔隙棒体が中実の棒体であることを特徴とする、請求項１に記載の植木鉢の給水ベース。
【請求項６】
前記収容空間内に、前記多孔隙棒体を固定するための固定座体が設置されたことを特徴とする、請求項１に記載の植木鉢の給水ベース。
【請求項７】
前記本体が注水口を有し、且つ前記注水口が前記設置台より低い位置に設置されていることを特徴とする、請求項１に記載の植木鉢の給水ベース。
【請求項８】
前記本体が、前記収容空間に連通された水位表示ユニットを有することを特徴とする、請求項１に記載の植木鉢の給水ベース。
【請求項９】
前記水位表示ユニットが、前記収容空間に連通された外管と、前記外管内に配置された浮きボールとを含むことを特徴とする、請求項８に記載の植木鉢の給水ベース。
【請求項１０】
前記多孔隙棒体の前記設置台から突出する部分に、横方向に張り出したフランジ部が設けられたことを特徴とする、請求項３に記載の植木鉢の給水ベース。
【考案の詳細な説明】
【技術分野】
【０００１】
本考案は、液体を入れるための収容空間が設けられ、多孔隙棒体を通して液体を植木鉢内の土壌に供給する、植木鉢の給水ベースに関する。
【背景技術】
【０００２】
鉢植えは緑を増やし、景観を造ったり、観賞したりすることに適しているが、長時間水をやらないと植物が枯れてしまい、また水が多すぎても水が漏れ出たり、植木鉢底部の水受けに溜まったりして、病気を媒介する蚊の温床となりやすい。
特許文献１には、皿体、多孔隙管体、鉢本体を含み、前記皿体が盤面と前記盤面周囲に沿って隆起した壁縁部を備え、且つ前記盤面及び前記壁縁部の間に集水空間が形成され、前記盤面上に固定部材が設置され、前記多孔隙管体が前記固定部材上に結合されると共に、前記鉢本体が前記皿体の盤面上に結合され、かつ前記盤面との間に空隙が保持され、その底部に前記多孔隙管体を受け入れる穿通孔が設けられ、前記鉢本体内部に収容空間が形成され、前記穿通孔が前記収容空間に連通された集水盤及び植木鉢の構造が開示されている。
【０００３】
この集水盤及び植木鉢を使用する際は、多孔隙管体を立てて前記固定部材上に配置し、前記穿通孔に穿通させて前記収容空間内まで延伸させ、鉢本体の収容空間内には土壌と植物を入れる。すると、前記皿体が回収した水遣りの際の余分な水を利用して、前記多孔隙管体が持つ毛細管作用で回収した水を再利用し、水源の節約効果を達している。しかしながら、このものは次のような欠点を有する。
１.皿体で植物に水遣りをしたときの余分な水を回収するが、開放式の皿体に水が入るため、病気を媒介する蚊が発生しやすい。
２.皿体が開放式であるため、環境が高温のとき蒸発しやすく、水分を植物への供給に完全に用いることができない。
３.植物に水を多く遣り過ぎると、皿体から溢れ出し、地面やテーブルに水が溜まる。
【０００４】
また、特許文献２には、水を通さない外鉢が設けられ、その内部に第一空間が形成され、前記第一空間内に同様に水を通さない内鉢が入れられ、前記内鉢と外鉢の間に適切な間隙が維持され、その中に水が収容される保湿植木鉢が記載されている。
内鉢の内部には第二空間が設けられ、その中に植物と土壌が収容され、また前記内鉢の壁面に少なくとも１つの貫通状の通孔が設けられ、前記通孔に多孔隙導体が設置されると同時に前記第一空間及び第二空間内に突出され、前記多孔隙導体を利用して毛細管作用を形成し、土壌を長期間湿潤状態に保持することができる。
【０００５】
特許文献３に記載された植木鉢は、外鉢と、外鉢内部に設置された内鉢を含み、前記外鉢が水を通さない皿状の形態であり、その壁面上に感湿材料が充填され、前記内鉢は多孔隙材料から形成され、且つ前記内鉢の上縁部に注水孔が設けられ、外鉢上の感湿材料を通して前記多孔隙の内鉢が含む水の量を知ることができ、使用者に水遣りをするか否かを提示し、植木鉢内の植物の水分を調節することができる。
しかし、上述の特許文献２及び特許文献３に記載のものは、いずれも特定の形状及び寸法の内鉢を組み合わせなければ予期した効果を得ることができず、一般的な植木鉢に全面的に適用することはできない。
【先行技術文献】
【特許文献】
【０００６】
【特許文献１】台湾実用新案第Ｍ４０２６０３号明細書
【特許文献２】台湾実用新案第Ｍ４０１９７９号明細書
【特許文献３】台湾実用新案第Ｍ３６９０２７号明細書
【考案の概要】
【考案が解決しようとする課題】
【０００７】
本考案が解決しようとする課題は、多種類の植木鉢に適用可能であり、植木鉢内の土壌を常に適切な湿度に維持して、頻繁に水遣りをする手間を省くことができ、病気を媒介する蚊の発生を防ぎ、貯留した水が蒸発しにくい、植木鉢の給水ベースを提供することにある。
【課題を解決するための手段】
【０００８】
本考案の植木鉢の給水ベースは、本体と多孔隙棒体とを含み、前記本体は、液体を入れるための非開放式の収容空間と、上に植木鉢を置くための設置台とを備え、前記多孔隙棒体が前記収容空間に挿入され、且つ前記設置台の上方へ突出して設置される。
【０００９】
以下の構成を採用しても良い。
前記多孔隙棒体が、前記本体に一体成型されている構成。
前記設置台に穿通孔が設けられ、且つ前記穿通孔が前記多孔隙棒体の径よりやや大きく、前記穿通孔に前記多孔隙棒体が挿通された構成。
前記多孔隙棒体が中空又は中実の棒体である構成。
前記収容空間内に、前記多孔隙棒体を固定するための固定座体が設置された構成。
前記本体が注水口を有し、且つ前記注水口が前記設置台より低い位置に設置されている構成。
前記本体が、前記収容空間に連通された水位表示ユニットを有する構成。
前記水位表示ユニットが、前記収容空間に連通された外管と、前記外管内に配置された浮きボールとを含む構成。
前記多孔隙棒体の前記設置台から突出する部分に、横方向に張り出したフランジ部が設けられた構成。
【考案の効果】
【００１０】
本考案の植木鉢の給水ベースは、特定の寸法の植木鉢または皿を組み合わせる必要がなく、植木鉢または皿の底部に円孔がありさえすれば、設置台上に設置して、多孔隙棒体を介して給水することができ、多孔隙棒体は毛細管作用で徐々に給水を行い、植物の土壌の湿度を適した状態に常時保つことができる。
また、収容空間は「非開放式」であるため、病気を媒介する蚊が発生しにくく、内部の水も蒸発しにくい。
なお、多孔隙棒体の設置台から突出する部分に横方向に張り出したフランジ部を設けると、フランジ部が植木鉢内縁の底部に当たるため、植木鉢を持ち上げたとき、多孔隙棒体が土壌に挟まれて持ち上がり、途中で落下するのを防止することができる。
【図面の簡単な説明】
【００１１】
【図１】本考案の実施例１を示す給水ベース及び植木鉢の分解斜視図である。
【図２】本考案の実施例１を示す給水ベース及び植木鉢の断面図である。
【図３】本考案の実施例１を示す給水ベース及び植木鉢の高水位状態における断面図である。
【図４】本考案の実施例１を示す給水ベース及び植木鉢の低水位状態における断面図である。
【図５】本考案の実施例２を示す給水ベース及び植木鉢の断面図である。
【図６】本考案の実施例３を示す給水ベース及び植木鉢の断面図である。
【考案を実施するための形態】
【００１２】
以下、本考案の実施例を図面に基づいて詳細に説明する。
図１〜図４は、本考案の実施例１を示す。
実施例１の給水ベースは、図１及び図２に示すように、本体１と多孔隙棒体２を含み、植木鉢３と組み合わせて使用する。
【００１３】
本体１は非開放式の収容空間１１を有する。収容空間１１は水、肥料を含有する栄養液等の貯蔵に供することができる。なお、この非開放式とは、収容空間１１がその他部材により遮蔽され、または閉じられて、概ね封鎖された形態を成すことを指す。
また、本体１には、植木鉢３を置くための設置台１２が収容空間１１の上方に設けられ、設置台１２には穿通孔１３が設けられる。
多孔隙棒体２は、中実で多数の孔隙を有する棒体であり、植木鉢３の底部の円孔３１及び本体１の穿通孔１３を通して収容空間１１に挿入される。
多孔隙棒体２の上端には径方向に張り出した円形のフランジ部２１が設けられる。このフランジ部２１は、多孔隙棒体２が植木鉢３底部の円孔３１を通過しないように位置規制する。
【００１４】
本体１は、注水口１５と、注水口１５を封鎖するキャップ１５１を備え、使用者が注水口１５から収容空間１１に注水し、かつ注水後にキャップ１５１で注水口１５を封鎖することができるようになっている。
注水口１５の設置箇所の水平高さは設置台１２の水平高さよりやや低く、これにより注水口１５から注水状況を観察し、注水過多で水が穿通孔１３から溢れ出ることがないようにすることができる。
【００１５】
また、本体１には、水位表示ユニット１６を取り付けるための取付口１６１が設けられる。取付口１６１は本体１の収容空間１１に連通している。
水位表示ユニット１６は外管１６２と浮きボール１６３を含む。外管１６２は上端が封鎖された透明管であり、取付口１６１に密着するよう組み込まれ、外管１６２と取付口１６１の接合箇所は漏水を防止するゴムパッキンを設置したり、シリコンを塗布したり、その他既知の漏水防止方式で漏水が防止される。
また、外管１６２の上端には別途微小な通気孔（図示しない）を設置して、外管１６２の内外の圧力バランスを維持するようにしてもよい。
浮きボール１６３は外管１６２の内部に設置される。浮きボール１６３は鮮明な色とすることが最良であり、それにより収容空間１１内の水位を表示することができる。
【００１６】
図１、図２、図３、図４に示すように、注水口１５から収容空間１１内に注水した後、キャップ１５１で注水口１５を封鎖すると浮きボール１６３が上昇し（図３参照）、そのときの収容空間１１内の水位を表示する。
多孔隙棒体２は水中に挿入されているため、毛細管作用で水分を植木鉢３内の土壌中に輸送し、長時間土壌の湿潤を維持することができる。一定時間の経過後、収容空間１１内の水位が下がると、浮きボール１６３もそれに伴って下降し（図４参照）、使用者に適した時期での水分補充を促して、植木鉢３内に植えられた植物が枯れないようにすることができる。
【００１７】
実施例１において、本体１の収容空間１１はキャップ１５１により注水口１５が封鎖され、多孔隙棒体２が穿通孔１３を遮蔽し、植木鉢３が設置台１２に当接されているため、収容空間１１が「非開放式」となっており、収容空間１１内の水が蒸発して失われるのを効果的に防止して、より長い給水時間を維持することができる。
なお、多孔隙棒体２のフランジ部２１は、円形を成しているが、多孔隙棒体２が植木鉢３から抜け出ないように防止することできる形状であれば、横棒、突起等その他形状とすることもできる。
【００１８】
図５は、本考案の実施例２を示す。
実施例２において、給水ベースは、実施例１と同様に本体１Ａ、収容空間１１Ａ、設置台１２Ａ、キャップ１５１Ａ、取付口１６１Ａ、外管１６２Ａ、浮きボール１６３Ａ、多孔隙棒体２Ａ等の部材を含み、かつ植木鉢３Ａを組み合わせて使用される。
給水ベースの大部分の構造は前記実施例１と同じであるため、給通摺る部分については説明を省略する。
【００１９】
実施例２では、多孔隙棒体２Ａに前述のフランジ部が設けられていない。また、本体１Ａの収容空間１１Ａの底部において、穿通孔１３Ａの直下には、上方に突出した固定座体１４Ａが設置され、多孔隙棒体２Ａの底部には固定座体１４Ａに対応する固定溝１４１Ａが設けられる。
そして、固定座体１４Ａと固定溝１４１Ａとを結合することにより、多孔隙棒体２Ａが本体１Ａに固定され、植木鉢３Ａを持ち上げたときに多孔隙棒体２Ａが一緒に引き抜かれることがない。
なお、固定座体１４Ａと固定溝１４１Ａの形状は、図示のものに限定されない。
【００２０】
図６に本考案の実施例３を示す。
実施例３において、給水ベースは、実施例１と同様に本体１Ｂ、収容空間１１Ｂ、設置台１２Ｂ、キャップ１５１Ｂ、取付口１６１Ｂ、外管１６２Ｂ、浮きボール１６３Ｂ、多孔隙棒体２Ｂ等の部材を含み、かつ植木鉢３Ｂを組み合わせて使用される。給水ベースの大部分の構造は実施例１と同じであるため、共通する部分については説明を省略する。
実施例３では、多孔隙棒体２Ｂが本体１Ｂに固定されている。
本体１Ｂは陶土を焼いて作製され、多孔隙棒体２Ｂは耐高温性の陶磁器とし、焼く過程において、予め多孔隙棒体２Ｂを埋め込んでおくことで、焼いた後の本体１Ｂと多孔隙棒体２Ｂを一体に結合させることができる。また、本体１Ｂは表層の釉薬で収容空間１１Ｂに漏水防止効果を具備させることができる。
【００２１】
なお、多孔隙棒体は、中空の棒体とすることもできる。
以上の説明は、本考案の最良の実施例に基づくものであり、これを以って本考案の権利範囲を限定することはできず、実用新案登録請求の範囲と明細書の内容に基づいた同等効果を有する簡単な変化や修飾は、すべて本考案の権利範囲に含まれる。
【符号の説明】
【００２２】
１          本体
１１        収容空間
１２        設置台
１３        穿通孔
１４        固定座体
１４１      固定溝
１５        注水口
１５１      キャップ
１６        水位表示ユニット
１６１      取付口
１６２      外管
１６３      浮きボール
２          多孔隙棒体
２１        フランジ部
３          植木鉢
３１        円孔
１Ａ        本体
１１Ａ      収容空間
１２Ａ      設置台
１３Ａ      穿通孔
１４Ａ      固定座体
１４１Ａ    固定溝
１５１Ａ    キャップ
１６１Ａ    取付口
１６２Ａ    外管
１６３Ａ    浮きボール
２Ａ        多孔隙棒体
３Ａ        植木鉢
１Ｂ        本体
１１Ｂ      収容空間
１２Ｂ      設置台
１５１Ｂ    キャップ
１６１Ｂ    取付口
１６２Ｂ    外管
１６３Ｂ    浮きボール
２Ｂ        多孔隙棒体
３Ｂ        植木鉢
【図１】
0003177958.tif 000003
【図２】
0003177958.tif 000004
【図３】
0003177958.tif 000005
【図４】
0003177958.tif 000006
【図５】
0003177958.tif 000007
【図６】
0003177958.tif 000008